(57)【特許請求の範囲】
【請求項１】
タイヤのトレッド内面に、制音用の帯状スポンジ材をタイヤ周方向に貼り付ける帯状スポンジ材の貼付け方法であって、
タイヤ保持回転具により前記タイヤを起立状態で保持しかつ回転可能とするとともに、  前記帯状スポンジ材は、貼り付け長さで切断されかつ一面を接着面としかつ該接着面に剥離紙を配した切断帯状スポンジ材からなり、かつこの切断帯状スポンジ材を前記剥離紙を半径方向外方として渦巻状に巻回して巻回体を形成し、
しかもこの巻回体をタイヤ内腔に配したスポンジ保持枠に取付け、
かつ前記タイヤ保持回転具によるタイヤの回転に伴い、前記巻回体を巻き戻しかつ前記剥離紙を剥離して取り出しつつ、帯状スポンジ材を案内し、かつ貼付けローラを用いて、前記接着面をトレッド内面に取付けることを特徴とするトレッド内面への帯状スポンジ材の貼付け方法。
【請求項２】
タイヤを起立状態で回転可能に保持するタイヤ保持回転具と、
このタイヤ保持回転具により保持されかつ回転するタイヤのトレッド内面に、帯状スポンジ材を貼り付ける貼付け具とを具え、
前記帯状スポンジ材は、貼り付け長さで切断されかつ一面を接着面としかつ該接着面に剥離紙を配した切断帯状スポンジ材からなるとともに、
前記貼付け具は、前記切断帯状スポンジ材を前記剥離紙を半径方向外方として渦巻状に巻回した巻回体を保持するスポンジ保持枠と、
この保持した巻回体から帯状スポンジ材の一端を取り出してトレッド内面に案内する案内ローラを有する案内手段と、
案内された帯状スポンジ材をトレッド内面に押し付けて貼付けする貼付けローラを有する貼付け手段とを具えることを特徴とする帯状スポンジ材の貼付け装置。
【請求項３】
前記タイヤ保持回転具は、間隔を隔ててかつタイヤを跨らせて支持する少なくとも一対の支持ローラを有するタイヤ支持手段と、
保持されたタイヤのサイドウォール部を両側から可回転に挟む一対の側面支持体を有する軸方向センタ位置決め手段と、
保持されたタイヤを前記支持ローラに上方から押し付ける押さえローラを有する押付け手段とを含むとともに、
前記一対の側面支持体は、中心位置の両側で各等距離を軸方向逆向きに移動することを特徴とする請求項２記載の帯状スポンジ材の貼付け装置。
【請求項４】
前記貼付けローラは、その外周面がスポンジ材からなることを特徴とする請求項１又は２記載の帯状スポンジ材の貼付け装置。
【発明の詳細な説明】
【技術分野】
【０００１】
本発明は、タイヤのトレッド内面に、制音用の帯状スポンジ材をタイヤ周方向に貼り付ける帯状スポンジ材の貼付け方法、及びその貼付け装置に関する。
【背景技術】
【０００２】
タイヤ騒音の一つに、路面を走行した際に、５０〜４００Hzの周波数範囲で「ゴー」という音が生じるいわゆるロードノイズがあり、その主原因として、タイヤ内腔内で起こす空気の共鳴振動（空洞共鳴）が知られている。そこで近年、タイヤ内腔内に、長尺な制音用の帯状スポンジ材をタイヤ周方向に配し、タイヤ内腔内で生じた共鳴音エネルギーを緩和、吸収することにより、空洞共鳴を抑制してロードノイズを低減する技術が提案されている（例えば特許文献１参照）。
【０００３】
【特許文献１】特開２００３−０６３２０８号公報
【０００４】
この特許文献１では、走行時に、帯状スポンジ材がタイヤ内腔内で動いてタイヤ内腔面と擦れること等に起因するタイヤや帯状スポンジ材自体の損傷を防止するため、帯状スポンジ材をトレッド内面に接着によって固定することが提案されている。
【発明の開示】
【発明が解決しようとする課題】
【０００５】
しかし従来は、トレッド内面に帯状スポンジ材を貼り付ける装置は存在せず、作業者による手作業によって貼り付けせざるを得ない。そのため、作業効率の著しい低下を招くとともに、貼り付け精度を均一に保つことができず品質を損ねるという問題がある。
【０００６】
本発明はこのような状況に鑑みなされたものであって、前記トレッド内面に、制音用の帯状スポンジ材を効率良く、しかも高精度でかつ均一に貼り付けしうる新規な帯状スポンジ材の貼付け方法、及びその貼付け装置を提供することを目的としている。
【課題を解決するための手段】
【０００７】
前記目的を達成するために、本願請求項１の発明は、タイヤのトレッド内面に、制音用の帯状スポンジ材をタイヤ周方向に貼り付ける帯状スポンジ材の貼付け方法であって、
タイヤ保持回転具により前記タイヤを起立状態で保持しかつ回転可能とするとともに、  前記帯状スポンジ材は、貼り付け長さで切断されかつ一面を接着面としかつ該接着面に剥離紙を配した切断帯状スポンジ材からなり、かつこの切断帯状スポンジ材を前記剥離紙を半径方向外方として渦巻状に巻回して巻回体を形成し、
しかもこの巻回体をタイヤ内腔に配したスポンジ保持枠に取付け、
かつ前記タイヤ保持回転具によるタイヤの回転に伴い、前記巻回体を巻き戻しかつ前記剥離紙を剥離して取り出しつつ、帯状スポンジ材を案内し、かつ貼付けローラを用いて、前記接着面をトレッド内面に取付けることを特徴としている。
【０００８】
又請求項２の発明は、タイヤのトレッド内面に、制音用の帯状スポンジ材をタイヤ周方向に貼り付ける帯状スポンジ材の貼付け装置であって、
タイヤを起立状態で回転可能に保持するタイヤ保持回転具と、
このタイヤ保持回転具により保持されかつ回転するタイヤのトレッド内面に、帯状スポンジ材を貼り付ける貼付け具とを具え、
前記帯状スポンジ材は、貼り付け長さで切断されかつ一面を接着面としかつ該接着面に剥離紙を配した切断帯状スポンジ材からなるとともに、
前記貼付け具は、前記切断帯状スポンジ材を前記剥離紙を半径方向外方として渦巻状に巻回した巻回体を保持するスポンジ保持枠と、
この保持した巻回体から帯状スポンジ材の一端を取り出してトレッド内面に案内する案内ローラを有する案内手段と、
案内された帯状スポンジ材をトレッド内面に押し付けて貼付けする貼付けローラを有する貼付け手段とを具えることを特徴としている。
【０００９】
又請求項３の発明では、前記タイヤ保持回転具は、間隔を隔ててかつタイヤを跨らせて支持する少なくとも一対の支持ローラを有するタイヤ支持手段と、保持されたタイヤのサイドウォール部を両側から可回転に挟む一対の側面支持体を有する軸方向センタ位置決め手段と、保持されたタイヤを前記支持ローラに上方から押し付ける押さえローラを有する押付け手段とを含むとともに、前記一対の側面支持体は、中心位置の両側で各等距離を軸方向逆向きに移動することを特徴としている。
又請求項４の発明では、前記貼付けローラは、その外周面がスポンジ材からなることを特徴としている。
【発明の効果】
【００１０】
本発明は、叙上の如く構成しているため、トレッド内面に、制音用の帯状スポンジ材を効率良く、しかも高精度でかつ均一に貼り付けることができる。
【発明を実施するための最良の形態】
【００１１】
以下、本発明の実施の一形態を、図示例とともに説明する。図１は本発明のトレッド内面への帯状スポンジ材の貼付け装置を略示する正面図である。
図１に示すように、トレッド内面への帯状スポンジ材の貼付け装置１（以下貼付け装置１という）は、タイヤＴを起立状態で回転可能に保持するタイヤ保持回転具２と、保持されかつ回転するタイヤＴのトレッド内面Ｔｓに、帯状スポンジ材５を貼り付ける貼付け具４とを具える。
【００１２】
なお前記帯状スポンジ材５は、図８に示すように、その防振性、吸音性によって、タイヤの内腔内で生じた共鳴音エネルギー（振動エネルギー）を吸収緩和し、空洞共鳴を抑制することでロードノイズを低減し、制音しうる。又帯状スポンジ材５は、トレッド内面Ｔｓに貼付けられるため、帯状スポンジ材５が走行中に動いて、タイヤの内腔面や帯状スポンジ材５自体が損傷するのを防止することができる。なお接着を確実化するためには、トレッド内面Ｔｓのタイヤ赤道側をタイヤ周方向に予めバフ仕上げし、加硫成形時に塗布されるシリコンオイルなどの離型剤を除去したバフ仕上げ領域Ｙを形成し、このバフ仕上げ領域Ｙに、帯状スポンジ材５を貼り付けするのが好ましい。
【００１３】
又帯状スポンジ材５は、図９（Ａ）に示すように、タイヤ１本当たりの貼り付け長さで予め切断された切断帯状スポンジ材であり、この帯状スポンジ材５は、その一面を接着剤が配された接着面Ｓとし、かつ該接着面Ｓは、剥離紙６によって被覆されている。なお接着剤としては両面粘着テープが好適に使用しうる。又本発明では、この帯状スポンジ材５は、図９（Ｂ）に示すように、前記剥離紙６を半径方向外方として渦巻状に巻回した巻回体５Ａの状態で使用される。
【００１４】
又帯状スポンジ材５の材料としては、海綿状の多孔構造体、例えばゴムや合成樹脂を発泡させた連続気泡を有する所謂スポンジそのもの、及び動物繊維、植物繊維又は合成繊維等を絡み合わせて一体に連結したウエブ状のものを含む。また前記「多孔構造体」には、連続気泡のみならず独立気泡を有するものを含む。好ましくは、エーテル系ポリウレタンスポンジ、エステル系ポリウレタンスポンジ、ポリエチレンスポンジなどの合成樹脂スポンジ、並びにクロロプレンゴムスポンジ（ＣＲスポンジ）、エチレンプロピレンゴムスポンジ（ＥＤＰＭスポンジ）、ニトリルゴムスポンジ（ＮＢＲスポンジ）などのゴムスポンジを好適に用いることができる。
【００１５】
次に、前記タイヤ保持回転具２は、図１、２の如く、間隔を隔ててかつタイヤを跨らせて支持する少なくとも一対の支持ローラ７を有するタイヤ支持手段８と、保持されたタイヤＴのサイドウォール部を両側から可回転に挟む一対の側面支持体９を有する軸方向センタ位置決め手段１０と、保持されたタイヤを前記支持ローラ７に上方から押し付ける押さえローラ１１を有する押付け手段１２とを含む。具体的には、本例では、縦枠片と横枠片とて矩形枠組みした左右の側フレーム１３Ｌ，１３Ｒ間を、横の継ぎ枠片で接合した骨組み状のフレーム１４を具え、このフレーム１４に、前記タイヤ支持手段８と、軸方向センタ位置決め手段１０と、押付け手段１２とを取り付けている。
【００１６】
前記タイヤ支持手段８は、間隔を隔てて互いに平行に配される水平な一対の支持ローラ７を有し、各支持ローラ７は、その両端が前記側フレーム１３Ｌ、１３Ｒに回転自在に枢支される。又一方の支持ローラ７の一端には、例えば側フレーム１３Ｌに取り付くタイヤ駆動モータＭ１が、スプロケットや無端連紐等を用いた周知の駆動連結手段を介して連結される。従って、タイヤ支持手段８は、支持ローラ７、７間にタイヤＴを跨らせて起立状態で保持でき、かつタイヤ駆動モータＭ１の駆動によって前記タイヤＴを回転駆動しうる。なお前記支持ローラ７、７間へのタイヤＴの投入取出しは、図２の如く、側フレーム１３Ｌ、１３Ｒ間から行いうる。
【００１７】
前記軸方向センタ位置決め手段１０は、前記保持されたタイヤＴのサイドウォール部を両側から可回転に挟む一対の側面支持体９を具える。この側面支持体９は、本例では、矩形枠組みした周囲枠状の支持体主部１５を有し、各支持体主部１５は、前記左右の側フレーム１３Ｌ，１３Ｒ間をタイヤ軸方向にのびる上下各一対の案内ガイド１６によって、タイヤ軸方向に移動可能に案内される。又前記支持体主部１５、１５は、左右開閉手段１７を介して、タイヤ軸方向の中心位置ｉの両側で、各等距離をタイヤ軸方向に逆向きに移動できる。
【００１８】
前記左右開閉手段１７は、本例では、図３に概念的に示すように、フレーム１４に、前記中心位置ｉで回転自在に枢着されるギヤー１７Ａと、タイヤ軸方向にのびかつ前記ギヤー１７Ａに噛合しうる一対のラック１７Ｂ、１７Ｃとからなるギヤ−・ラック機構を含み、各ラック１７Ｂ、１７Ｃの一端は、それぞれ両側の支持体主部１５、１５に固定される。又一方の支持体主部１５には、本例では、タイヤ軸方向に伸縮自在なシリンダー１７Ｄのロッド端が連結される。従って前記シリンダー１７Ｄの伸張動作によって、両側の支持体主部１５、１５は、前記中心位置ｉに向かって各等距離を移動でき、その間でタイヤＴのサイドウォール部を両側から狭持する。これによって、タイヤＴを、そのタイヤ赤道を中心位置ｉに位置合わせしうる。
【００１９】
又前記側面支持体９では、前記狭持したタイヤＴを回転可能に保持するために、前記支持体主部１５の向き合う面には、狭持したタイヤＴのサイドウォール部のタイヤ最大幅位置に当接しうる複数の保持ローラ１８を枢支している。この保持ローラ１８は、そのローラ軸心を前記タイヤの回転軸心に向けて配している。なお、タイヤサイズに準じてタイヤの回転軸心の高さ位置が変化するため、本例では上下、左右各１本（合計４本）の保持ローラ１８を用い、各ローラ１８を水平に対して４５°の角度θで配するとともに、上の保持ローラ１８を下の保持ローラに対して、例えば６０mm長く設定している。
【００２０】
前記押付け手段１２は、前記フレームの上端に、取付け金具を介して支持されるシリンダー１２Ａを有し、又その下方に向くロッド端に、ローラホルダを介して前記押さえローラ１１を枢着している。従って、前記シリンダー１２Ａの伸張動作によって、保持されたタイヤＴを前記支持ローラ７に上方から押し付けでき、タイヤＴを、位置ずれや速度ムラを有することなく所定の回転速度で確実に回転させることができる。
【００２１】
次に、前記貼付け具４は、図６に示すように、帯状スポンジ材５の前記渦巻状の巻回体５Ａを保持するスポンジ保持枠２０と、この保持した巻回体５Ａから帯状スポンジ材５の一端５ｅを取り出してトレッド内面Ｔｓに案内する案内ローラ２２を有する案内手段２３と、案内された帯状スポンジ材５をトレッド内面Ｔｓに押し付けて貼付けする貼付けローラ２４を有する貼付け手段２５とを具える。
【００２２】
又前記貼付け具４は、本例では図４に示すように、この貼付け具４をタイヤ軸方向に移動させることにより該貼付け具４をタイヤの内腔にそのビードシート孔Ｈから挿入取出しさせるトラバース手段２８と、前記タイヤ内腔内に挿入された貼付け具４を、タイヤ半径方向に移動させる上下移動手段２９とを少なくとも具える支持具３０によって支持される。
【００２３】
又前記支持具３０は、本例では、タイヤサイズに合わせて前記貼付け具４の高さ位置を上下に調整する高さ調整具３１に支持される。
【００２４】
この高さ調整具３１は、前記フレーム１４の台板から立ち上がる支持台３３に配される上下にのびる縦の案内ガイド部３４と、この縦の案内ガイド部３４に案内されて上下移動しうる前記高さ調整台３５と、この高さ調整台３５を上下に自在に移動させる上下の直線駆動部（図示しない）とを具える。この上下の直線駆動部は、本例ではボールネジ機構を有し、前記支持台３３に両端が枢支された上下方向のネジ軸と、前記高さ調整台３５に取り付きかつ前記ネジ軸に螺合するナット部とを具える。又前記ネジ軸の一端には、支持台３３に取付く昇降用モータ（図示しない）が連結する。従って、タイヤ保持回転具２に保持されるタイヤのサイズに応じて前記高さ調整台３５を上下動し、前記貼付け具４がビードシート孔Ｈからタイヤ内腔内に挿入取出ししうる高さ位置に調整しうる。
【００２５】
又前記支持具３０を構成する前記トラバース手段２８は、前記高さ調整台３５に配される横の案内ガイド部３６と、この横の案内ガイド部３６に案内されてタイヤ軸方向に移動しうる横移動台３７と、この横移動台３７を後方の待機位置Ｑｒと前方の前進位置Ｑｆとの２位置間で移動させる横の直線駆動部３８とを具える。この横の直線駆動部３８は、本例では、ロッドレスシリンダーであって、その一端／他端間を移動するピストン部が前記横移動台３７にアクチェータを介して連結される。なお前記待機位置Ｑｒでは、図５（Ａ）に一点鎖線で示す如く、貼付け具４をタイヤ内腔の外側に待機させることができ、この待機状態において、タイヤ保持回転具２へのタイヤの投入や取出し、及び貼付け具４への帯状スポンジ材５の取り付けが行われる。又前記前進位置Ｑｆでは、帯状スポンジ材５を、その幅中心線をタイヤ赤道Ｃに合わせてタイヤ内腔内に挿入できる。
【００２６】
又前記上下移動手段２９は、前記横移動台３７から立設する支持台３９に配される上下にのびる縦の案内ガイド部４０と、この縦の案内ガイド部４０に案内されて上下移動しうる昇降体４１と、この昇降体４１を上下に移動させる本例ではシリンダーである上下の直線駆動部４２とを具える。前記昇降体４１はタイヤ軸方向にのびかつその前端に貼付け具４を保持している。そして、前記上下の直線駆動部４２の動作によって、前端に保持した貼付け具４を、タイヤ内腔への挿入高さ位置と、貼り付け高さ位置との二位置の間で上下移動できる。
【００２７】
又貼付け具４は、図６に示す如く、帯状スポンジ材５の前記渦巻状の巻回体５Ａを保持するスポンジ保持枠２０と、この保持した巻回体５Ａから帯状スポンジ材５の一端５ｅを取り出してトレッド内面Ｔｓに案内する案内ローラ２２を有する案内手段２３と、案内された帯状スポンジ材５をトレッド内面Ｔｓに押し付けて貼付けする貼付けローラ２４を有する貼付け手段２５とを具える。
【００２８】
具体的には、前記スポンジ保持枠２０は、前記昇降体４１の前端に、取付板２６を介して取り付けられる。このスポンジ保持枠２０は、底板の周囲に、巻回体５Ａの外周面を保持する環状周囲枠４５を設けた容器状をなし、該環状周囲枠４５には、帯状スポンジ材５の一端５ｅを取り出す途切れ部４５Ａが形成される。又この途切れ部４５Ａには、その一端から前記環状周囲枠４５の接線方向かつ下方にのびる第１の案内片４６ａと、途切れ部４５Ａの他端から前記第１の案内片４６ａと平行にのびる第２の案内片４６ｂとからなる案内部４６が連設される。なお案内片４６ａ、４６ｂ間の間隔Ｄは、前記帯状スポンジ材５の無負荷状態における厚さｔに比して０〜０．５ｍｍ大に設定されている。
【００２９】
前記案内手段２３は、前記案内部４６の下端側に配される案内ローラ２２と剥離紙剥離ローラ４８と剥離紙巻き取りローラ４９とを少なくとも具える。前記剥離紙剥離ローラ４８は、前記第１の案内片４６ａの側に形成され、前記案内部４６の下端から取り出される帯状スポンジ材５から剥離紙６を剥離する。又剥離紙巻き取りローラ４９は、前記剥離紙剥離ローラ４８に隣設し、剥離する剥離紙６を巻き取って回収する。なお剥離紙巻き取りローラ４９には、剥離紙６が滑って巻き取り不良が生じないように、剥離紙巻き取りローラ４９の外周には、剥離紙６の先端部を挟んで保持するスリット４９ａを半径方向に形成している。なお剥離紙巻き取りローラ４９は、剥離紙回収モータ（図示しない）によって駆動される。この剥離紙回収モータには、トルクモータが採用され、剥離紙６がテンションによって破断しないように、モータの回転トルクの上限が規制されている。
【００３０】
又案内ローラ２２は、前記第２の案内片４６ａの側に配され、剥離紙６が剥離された帯状スポンジ材５を、その外周面により、接着面Ｓを半径方向外側に向けて案内する。なお案内ローラ２２の先端には、帯状スポンジ材５の巾方向の位置ずれを防止する大径なフランジ２２ａが形成される。これら案内ローラ２２、剥離紙剥離ローラ４８、剥離紙巻き取りローラ４９は前記取付板２６に回転自在に支持される。
【００３１】
又貼付け手段２５は、案内手段２３により案内された帯状スポンジ材５をトレッド内面Ｔｓに押し付けて貼付けする貼付けローラ２４を有する。この貼付けローラ２４は、前記取付板２６に固定のシリンダー５０のロッド下端に、ローラホルダを介して回転自在に枢支される。又貼付けローラ２４は、少なくとも外周面が弾性変形容易なスポンジ材から形成される。そのため貼付けローラ２４は、面接触によって帯状スポンジ材５をトレッド内面Ｔｓに押圧でき、剛体のローラに比して貼り付け状態を安定化させることができる。
【００３２】
次に、本実施形態の貼付け装置１の動作を説明する。
まず、貼付け具４を待機位置Ｑｒでタイヤ軸方向後方側に待機させた状態で、前記タイヤ保持回転具２にタイヤＴを投入する。具体的には、前記支持ローラ７、７間にタイヤＴを跨らして保持させた後、前記軸方向センタ位置決め手段１０を作動し、保持されたタイヤＴのサイドウォール部を、両側の側面支持体９、９間で挟むことにより、タイヤＴをそのタイヤ赤道Ｃを前記中心位置ｉに位置合わせしうる。又この状態で、前記押付け手段１２を作動し、保持されたタイヤＴを支持ローラ７に上方から押し付ける。
【００３３】
又貼付け具４では、前記帯状スポンジ材５が装着される。具体的には、図６に示すように、スポンジ保持枠２０内に、帯状スポンジ材５の巻回体５Ａが装入される。このとき、帯状スポンジ材５は、その一端５ｅが前記案内ローラ２２のフランジ２２ａ下端と面一状態或いはフランジ２２ａ下端を下方に超える状態となる高さ位置まで、スポンジ保持枠２０から巻き戻される。又前記一端５ｅからは、剥離紙６が予め剥離され、その先端部は、剥離紙剥離ローラ４８をへて剥離紙巻き取りローラ４９の前記スリット４９ａに係止される。
【００３４】
又前記支持具３０では、予め、図５（Ａ）に一点鎖線で示す如く、前記高さ調整具３１の作動により、タイヤＴのビードシート孔Ｈからタイヤ内腔内に挿入取出ししうる高さ位置に、前記貼付け具４を高さ合わせしている。なお貼付け装置１には、本例では、投入されるタイヤＴのサイズデータを記憶する記憶部を有する制御手段１９を具える。前記サイズデータとして、少なくともタイヤ外径を含む諸データを含むことができ、これらは、例えばタイヤＴに貼り付けるデータラベルに予め記載し、搬送時又は投入時にデータラベルをリーダにて読み取って記憶部に記憶させることができる。又センサを用いて保持されたタイヤＴを測定し、必要なサイズデータを検出して記憶部に記憶させても良い。何れの場合にも、制御手段１９は、記憶する前記サイズデータから、高さ調整台３５の上下移動を制御する。
【００３５】
その後、前記トラバース手段２８を作動し、図５（Ａ）に実線で示す如く、貼付け具４を、前記待機位置Ｑｒから前進位置Ｑｆまで移動させることにより、帯状スポンジ材５の巻回体５Ａを、その幅中心線をタイヤ赤道Ｃに合わせてタイヤ内腔内に挿入させる。
【００３６】
その後、図５（Ｂ）に示す如く、前記上下移動手段２９を作動し、貼付け具４を貼り付け高さ位置まで下降させる。この貼り付け高さ位置では、前記フランジ２２ａがトレッド内面Ｔｓと近接し、帯状スポンジ材５の一端５ｅの接着面Ｓもトレッド内面Ｔｓに付着させることができる。又貼付け手段２５も作動し、予め貼付けローラ２４を、トレッド内面Ｔｓに圧接させておく。
【００３７】
そしてこの状態にてタイヤ保持回転具２を作動し、図７に示すように保持されたタイヤＴを所定速度で回転させることにより、タイヤＴの回転に伴い巻回体５Ａが巻き戻される。巻き戻される帯状スポンジ材５は、剥離紙６が剥がされつつスポンジ保持枠２０から順次取り出され、案内ローラ２２、貼付けローラ２４をへて、その接着面Ｓがトレッド内面Ｔｓに接着される。なお貼付け終了に際しては、上記と逆の操作を行う。
【００３８】
以上、本発明の特に好ましい実施形態について詳述したが、本発明は図示の実施形態に限定されることなく、種々の態様に変形して実施しうる。
【図面の簡単な説明】
【００３９】
【図１】本発明のトレッド内面への帯状スポンジ材の貼付け装置の一実施例を示す正面図である。
【図２】タイヤ保持回転具を示す側面図である。
【図３】左右開閉手段を概念的に示す平面図である。
【図４】貼付け具を支持具とともに示す正面図である。
【図５】（Ａ）、（Ｂ）は、貼付け具の動作を説明する断面図である。
【図６】貼付け具を示す側面図である。
【図７】貼付け具による、帯状スポンジ材の貼付け状態を説明する側面図である。
【図８】帯状スポンジ材を貼り付けたタイヤの一例を示す断面図である。
【図９】（Ａ）は、貼付け前の帯状スポンジ材の一例を示す断面図、（Ｂ）はその渦巻き状の巻回体を示す断面図である。
【００４０】
１      帯状スポンジ材の貼付け装置
２      タイヤ保持回転具
４      貼付け具
５      帯状スポンジ材
５Ａ    巻回体
６      剥離紙
７      支持ローラ
８      タイヤ支持手段
９      側面支持体
１０    軸方向センタ位置決め手段
１１    押さえローラ
１２    押付け手段
２０    スポンジ保持枠
２２    案内ローラ
２３    案内手段
２４    貼付けローラ
２５    貼付け手段
Ｓ      接着面
Ｔ      タイヤ
Ｔｓ    トレッド内面
【図１】
0004746421.tif 000002
【図２】
0004746421.tif 000003
【図３】
0004746421.tif 000004
【図４】
0004746421.tif 000005
【図５】
0004746421.tif 000006
【図６】
0004746421.tif 000007
【図７】
0004746421.tif 000008
【図８】
0004746421.tif 000009
【図９】
0004746421.tif 000010